(57)【要約】      （修正有）【課題】ランプ受けの大きさによって従来から可能であったよりも接近させて複数のランプを装着できるように、細長いランプを照明設備に複数並べる配列方法を提供すること。また、ヘアライン光源、特に反射器の焦点または光心に中心点を置くヘアライン光源からの光に類似させような、複数のランプの配置が可能となるように、細長いランプを照明設備に複数並べる配列方法を提供すること。【解決手段】２つの細長いランプを、対向する側板または腕木に交互に設置したランプ受けを有する照明設備に隣接して配置する。該照明設備の内寸は、各ランプの遠位端が隣接するランプの露出した差込み部とランプ受けとに重ならないような長さ分だけ、各ランプとランプ受けとを組み合わせた長さよりも長くなっている。ランプ４０、４１は互いに密接しており、該照明設備１０の光心線と一致する光心線を有するヘアライン光源と類似するように十分に近接して設けられる。【選択図】図１
2006332071.tif 000002
【特許請求の範囲】
【請求項１】
ランプ光出力密度を向上させる照明設備であって、
２つの端部を有する反射器と、
該反射器のそれぞれの端部に配された、互いに実質的に並行な２つの側板であ
って、該側板と該反射器とによって、上面と、底面と、前面と、後面と、２つの
側面と、一方の該側板から他方の該側板に伸び該側板に実質的に垂直な設備長軸
と、を有する空洞部が形成され、該空洞部は該設備長軸に沿った設備長さを有し
、該空洞部の該前面は光透過性である、２つの側板と、
該側板のそれぞれに設けられた少なくとも１つのランプ受けであって、該設備
長軸に沿って他方の側板に向かう各ランプ受けの突出部が、他方のランプ受けに
部分的に重なるように、該ランプ受けはそれぞれの該側板に設けられ、該ランプ
受けのそれぞれがランプ受け長さを有する、ランプ受けと、
少なくとも２つの細長いランプであって、該ランプのそれぞれが、
該ランプ受けの１つに対応し、差込み部長さを有する差込み部と、
該差込み部に対向する遠位部と、
該差込み部から該遠位部に伸びるランプ長軸と、
該差込み部から該遠位部に伸びる該ランプ長軸に沿ったランプ長さと、を
有するランプと、を有する照明設備であって、
該ランプの該ランプ長軸が該設備長軸に実質的に並行で、かつ互いにずれてい
るように、各ランプが該ランプ受けの１つに装着され、
該ランプが該ランプ受けに装着された時に該差込み部の一部は露出しており、
該露出部は露出差込み部長さを有し、
該設備長さは、
該ランプのうちの一方の該ランプ長さと、
該一方のランプの該露出差込み部長さと、
該一方のランプに対応するランプ受けの該ランプ受け長さと、
該ランプのうちの他方の差込み部の該露出差込み部長さと、
該他方のランプに対応するランプ受けの該ランプ受け長さとの合計よりも
十分に大きく、
それぞれ異なる側板に設置されたランプ受けに対応する、隣接するランプにつ
いて、いずれのランプの遠位部も、隣接するランプに対応するランプ受けおよび
露出差込み部を縦方向に妨害しない、照明設備。
【発明の詳細な説明】
【技術分野】
【０００１】
本発明は、照明設備に関する。より詳しくは、本発明は、ランプ光出力密度を
上げるための、２本の細長いランプを用いた照明設備に関する。
【背景技術】
【０００２】
照明産業の目標の１つとして、照明器具、つまりランプを備えた照明設備に、
より高いランプ光出力密度をもたせるということが挙げられる。光出力密度は通
常ルーメン／フィート（Ｌ／Ｆ）で計測されるが、このルーメンとは光束の単位
である。たとえば、１０００ルーメンの光束を発する長さ２フィート（約０．６
１メートル）のランプは、５００Ｌ／Ｆ（約１，６３９Ｌ／メートル）の光出力
密度を持つことになる。
【０００３】
ランプ光出力密度を上げるための１つの方法は、出力が高く、同サイズのラン
プより多くの光束（ルーメンで計測）が得られるランプを用いることである。た
とえば、長さ４フィート（約１．２２メートル）で、３２ワット、Ｔ８サイズの
一般的なラピッドスタートランプは、２，９５０ルーメンの光束を発し、７３７
Ｌ／Ｆ（約２，４１８Ｌ／Ｍ）の光出力密度であるが、長さ４フィート（約１．
２２メートル）で６０ワット、Ｔ１２サイズの一般的な高出力ラピッドスタート
ランプは、４，３５０ルーメンの光束を発し、１，０８７Ｌ／Ｆ（約３，５６６
Ｌ／Ｍ）の光出力密度となり、その光出力密度は約５０％も増加する。
【０００４】
公知の照明器具によってより高い光出力密度を得るためのもう１つの方法は、
二管ランプなどのコンパクト蛍光ランプ（ＣＦＬ）を用いることである。このＣ
ＦＬは、同じワット数で、より大きな従来のランプよりも多数のルーメンを発す
る。たとえば、長さ４フィート（約１．２２メートル）で３２ワット、Ｔ８サイ
ズの一般的なラピッドスタートランプは、２，９５０ルーメンの光束を発し、７
３７Ｌ／Ｆ（約２，４１８Ｌ／Ｍ）の光出力密度であるが、Ｇｅｎｅｒａｌ  Ｅ
ｌｅｃｔｒｉｃ社からＢｉａｘ（登録商標）という名前で市販されている、長さ
１６．５インチ（約４２センチ）で３９ワット、Ｔ５サイズの一般的なラピッド
スタートＣＦＬは、２，８５０ルーメンの光束を発し、２，０７３Ｌ／Ｆ（約６
，８００Ｌ／Ｍ）の光出力密度であり、その光出力密度は約１８０％も増加して
いる。同様のランプは、北アメリカＰｈｉｌｉｐｓ社からＰＬ−Ｌ（登録商標）
という名前で、また、Ｏｓｒａｍ社からＤｕｌｕｘ  Ｌ(登録商標）という名前でも市販されている。
【０００５】
照明設備の光出力密度値は、できるだけ小さな断面にランプの列を設けること
によって上げることができる。しかし、光出力密度をこの方法で上げることには
、ランプ受けの寸法による制約が伴うことになる。たとえば、標準的な４ピン差
込みコンパクト蛍光灯用ランプ受けの幅は、そこに装着されるランプの幅より大
きく、２つのランプを実質的に隣接して装着した場合のような最大の光出力密度
を得られるように、ＣＦＬランプの発光管を互いにできるだけ近づけることがで
きない。
【０００６】
２つのランプを隣接して装着するのは、様々な理由によって好ましいことであ
る。第一に、上記のように、複数のランプを隣接して配置することによって、Ｌ
／Ｆを計算する上での分子が大きくなり、その結果、照明器具の光出力密度の全
体値が増加することになる。たとえば、長さ１６．５インチで３９ワットの二管
ＣＦＬランプを２つ隣接して装着すると、５，７００ルーメンの光束を発し、４
，１４５Ｌ／Ｆ（約１３，５４０Ｌ／Ｍ）の光出力密度となる。これは、長さ１
６．５インチで３９ワットの二管ＣＦＬランプ１つに比べて、約１００％の増加
であり、長さ４フィートで３２ワットのＴ８サイズの上記のラピッドスタートラ
ンプに比べて、４６２％の増加である。さらに、複数のヘアライン光源からの光
は、互いに隣接して配置された場合、１つのより大きなヘアライン光源からの光
に類似したものとなる。従って、このような複数の光源からの光は、ヘアライン
光源用に設計された従来の反射器やレンズなどによって、簡単に方向を変えたり
制御したりすることができる。複数の光源で共通に使われる反射器によって、楕
円孤または放物線孤、あるいはその双方が得られる。たとえば、楕円孤および放
物線孤の両方を有する反射器は、コネチカット州Ｗｅｓｔ  ＨａｖｅｎのＥｌｌ
ｉｐｔｉｐａｒ社から、ＥＬＬＩＰＴＩＰＡＲ（登録商標）という名前で市販さ
れている。
【０００７】
従って、ランプ受けの大きさによって従来から可能であったよりも接近させて
複数のランプを装着できるように、細長いランプを照明設備に複数並べる配列方
法が必要とされている。
【０００８】
また、複数のランプを、できるだけヘアライン光源の光と類似させるような、
複数のランプの配置が可能となるように、細長いランプを照明設備に複数並べる
配列方法も必要とされている。
【発明の開示】
【発明が解決しようとする課題】
【０００９】
本発明の目的は、ランプ受けの大きさによって従来から可能であったよりも接
近させて複数のランプを装着できるように、細長いランプを照明設備に複数並べ
る配列方法を提供することである。
【００１０】
また、本発明のもう１つの目的は、ヘアライン光源、特に反射器の焦点または
光心に中心点を置くヘアライン光源からの光に類似させるような、複数のランプ
の配置が可能となるように、細長いランプを照明設備に複数並べる配列方法を提
供することである。
【課題を解決するための手段】
【００１１】
本発明によって以下が提供される：
（１）ランプ光出力密度を向上させる照明設備であって、
２つの端部を有する反射器と、
該反射器のそれぞれの端部に配された、互いに実質的に並行な２つの側板であ
って、該側板と該反射器とによって、上面と、底面と、前面と、後面と、２つの
側面と、一方の該側板から他方の該側板に伸び該側板に実質的に垂直な設備長軸
と、を有する空洞部が形成され、該空洞部は該設備長軸に沿った設備長さを有し
、該空洞部の該前面は光透過性である、２つの側板と、
該側板のそれぞれに設けられた少なくとも１つのランプ受けであって、該設備
長軸に沿って他方の側板に向かう各ランプ受けの突出部が、他方のランプ受けに
部分的に重なるように、該ランプ受けはそれぞれの該側板に設けられ、該ランプ
受けのそれぞれがランプ受け長さを有する、ランプ受けと、
少なくとも２つの細長いランプであって、該ランプのそれぞれが、
該ランプ受けの１つに対応し、差込み部長さを有する差込み部と、
該差込み部に対向する遠位部と、
該差込み部から該遠位部に伸びるランプ長軸と、
該差込み部から該遠位部に伸びる該ランプ長軸に沿ったランプ長さと、を
有するランプと、を有する照明設備であって、
該ランプの該ランプ長軸が該設備長軸に実質的に並行で、かつ互いにずれてい
るように、各ランプが該ランプ受けの１つに装着され、
該ランプが該ランプ受けに装着された時に該差込み部の一部は露出しており、
該露出部は露出差込み部長さを有し、
該設備長さは、
該ランプのうちの一方の該ランプ長さと、
該一方のランプの該露出差込み部長さと、
該一方のランプに対応するランプ受けの該ランプ受け長さと、
該ランプのうちの他方の差込み部の該露出差込み部長さと、
該他方のランプに対応するランプ受けの該ランプ受け長さとの合計よりも
十分に大きく、
それぞれ異なる側板に設置されたランプ受けに対応する、隣接するランプにつ
いて、いずれのランプの遠位部も、隣接するランプに対応するランプ受けおよび
露出差込み部を縦方向に妨害しない、照明設備。
（２）  前記ランプ受けのうちの厳密に１つが前記側板のそれぞれに
設置されている、項目１に記載の照明設備。
（３）  前記ランプのそれぞれが、管直径を有する少なくとも１つの
発光管を有し、
隣接するランプの該少なくとも１つの発光管が、該管直径の約２０％〜４０％
の距離だけ互いに離れている、項目１に記載の照明設備。
（４）  各前記ランプがそれぞれ二管ランプである、項目３に記載
の照明設備。
（５）  前記二管ランプのそれぞれの管が、長軸と、該長軸の通る管
中心を有し、
該ランプのそれぞれの二管の該長軸が、それぞれのランプ面を決定し、
該ランプの該ランプ面が、互いに実質的に並行である、項目４に記載の照明
設備。
（６）  前記ランプ受けのうちの第一のランプ受けが、一方の前記側
板に設置されたランプ受けよりも、前記空洞部の前記後面および前記上面に近い
もう一方の該側板に設置されている、項目１に記載の照明設備。
（７）  前記ランプ受けの少なくとも１つを前記側板に回転可能に接
続するための軸支手段をさらに含有し、該軸支手段が、該ランプ受けに対応する
前記ランプの前記ランプ長軸に垂直な回転軸を有する、項目１に記載の照明設
備。
（８）  ランプ光出力密度を向上させる照明設備であって、
２つの端部を有する反射器と、
該反射器のそれぞれの端部に配された、互いに実質的に並行な２つの側板であ
って、該側板と該反射器とによって、上面と、底面と、前面と、後面と、２つの
側面と、一方の該側板から他方の該側板に伸び、該側板に実質的に垂直な設備長
軸とを有する空洞部が形成され、該空洞部は該設備長軸に沿った設備長さを有し
、該空洞部の該前面は光透過性である、２つの側板と、
該側板のそれぞれに設けられた厳密に１つの、ランプ受け長さを有する、ラン
プ受けと、
厳密に２つの細長い二管ランプであって、該ランプのそれぞれが、
２つの実質的に並行な発光管であって、合計で４つの発光管となり、該発
光管のそれぞれが長軸と、該長軸を通る管中心を有する、発光管と、
該ランプ受けの１つに対応し、差込み部長さを有する差込み部と、
該差込み部に対向する遠位部と、
該差込み部から該遠位部に伸びるランプ長軸と、
該差込み部から該遠位部に伸びる該ランプ長軸に沿ったランプ長さと、を
有するランプと、を有する照明設備であって、
該ランプの該ランプ長軸が該設備長軸に実質的に並行で、かつ互いにずれてい
るように、各ランプが該ランプ受けの１つに装着され、
該ランプのそれぞれの二管の該長軸がそれぞれのランプ面を決定し、
該ランプの該ランプ面が互いに実質的に並行であり、
該４つの管の中心が、該長軸に沿って見た時に実質的に矩形を形成し、
該ランプが該ランプ受けに装着された時に該差込み部の一部は露出しており、
該露出部は露出差込み部長さを有し、
該設備長さは、
該ランプのうちの一方の該ランプ長さと、
該一方のランプの該露出差込み部長さと、
該一方のランプに対応するランプ受けの該ランプ受け長さと、
該ランプのうちの他方の差込み部の該露出差込み部長さと、
該他方のランプに対応するランプ受けの該ランプ受け長さとの合計よりも
十分に大きく、
該ランプのそれぞれの該遠位部が、他方のランプに対応する該ランプ受けおよ
び該露出差込み部を、縦方向に妨害しない、照明設備。
（９）  前記矩形が実質的に正方形である、項目８に記載の照明設
備。
（１０）  ランプ光出力密度を向上させる照明設備であって、
２つの端部を有する反射器と、
該反射器のそれぞれの端部に配された、互いに実質的に並行な２つの側板であ
って、該側板と該反射器とによって、上面と、底面と、前面と、後面と、２つの
側面と、一方の該側板から他方の該側板に伸び、該側板に実質的に垂直な設備長
軸とを有する空洞部が形成され、該空洞部は該設備長軸に沿った設備長さを有し
、該空洞部の該前面は光透過性である、２つの側板と、
該側板のそれぞれに設けられ、それぞれがランプ受け長さを有する少なくとも
１つのランプ受けと、
少なくとも２つの細長いランプであって、該ランプのそれぞれが、
該ランプ受けの１つに対応し、差込み部長さを有する差込み部と、
該差込み部に対向する遠位部と、
該差込み部から該遠位部に伸びるランプ長軸と、
該差込み部から該遠位部に伸びる該ランプ長軸に沿ったランプ長さと、を
有するランプと、を有する照明設備であって、
該側板は、該ランプ受けを支持するのに適切で、かつ、該ランプからの光が該
空洞部の該側面から放射されるような腕木であり、
該ランプのランプ長軸が該設備長軸に実質的に並行で、かつ互いにずれている
ように、各ランプが該ランプ受けの１つに装着され、
該ランプが該ランプ受けに装着された時に該差込み部の一部は露出しており、
該露出部は露出差込み部長さを有し、
該設備長さは、
該ランプのうちの一方の該ランプ長さと、
該一方のランプの該露出差込み部長さと、
該一方のランプに対応するランプ受けの該ランプ受け長さと、
該ランプのうちの他方の差込み部の該露出差込み部長さと、
該他方のランプに対応するランプ受けの該ランプ受け長さとの合計よりも
十分に大きく、
それぞれ異なる側板に設置されたランプ受けに対応する、隣接するランプにつ
いて、いずれのランプの遠位部も、隣接するランプに対応するランプ受けおよび
露出差込み部を縦方向に妨害しない、照明設備。
（１１）  ランプ光出力密度を向上させる照明設備であって、
光透過性の前面を有する空洞部を形成する、反射器と、実質的に並行な２つの
側板と、
該側板のそれぞれに設置された、１つの標準的な４ピンコンパクト蛍光ランプ
受けと、
該ランプ受けのそれぞれに装着された二管ランプと、を含有し、
該二管ランプのそれぞれの管が、管中心と、該管中心を通る長軸を有し、
該ランプの該二管の該長軸がそれぞれのランプ面を決定し、
該空洞部の長さが、一方のランプと、該一方のランプの露出した差込み部と、
対応するランプ受けとの長さの合計より、約１．５インチ長く、
該ランプは、該ランプ受けに装着されると、約１／８〜１／４インチ互いに離
れており、  
一方のランプの該ランプ面は、他方のランプの該ランプ面と実質的に並行であ
り、  
該ランプの４つの管中心が、該長軸にそって見た時に、実質的に正方形を形成
している、照明設備。
（１２）  ランプ光出力密度を向上させる照明設備であり、
２つの端部と、該端部の間に伸びる設備光心線と、該設備光心線に沿った設備
長さとを有する反射器と、
該反射器の該端部のそれぞれに実質的に隣接して設けられた少なくとも１つの
ランプ受けであって、該設備長軸に沿って他方のランプ受けに向かう各該ランプ
受けの突出部が、他方のランプ受けに部分的に重なるように、該ランプ受けがそ
れぞれの位置に設けられ、該ランプ受けのそれぞれがランプ受け長さを有する、
ランプ受けと、
少なくとも２つの細長いランプであって、該ランプのそれぞれが、
該ランプ受けの１つに対応し、差込み部長さを有する差込み部と、
該差込み部に対向する遠位部と、
該差込み部から該遠位部に伸びるランプ長軸と、
該差込み部から該遠位部に伸びる該ランプ長軸に沿ったランプ長さと、を
有するランプと、を有する照明設備であって、
該ランプが互いに密接し、かつ、該ランプの該ランプ長軸が該設備長軸に実質
的に並行で、かつ互いにずれているように、各ランプが該ランプ受けの１つに装
着され、
該ランプが該ランプ受けに装着された時に該差込み部の一部は露出しており、
該露出部は露出差込み部長さを有し、
該設備長さは、
該ランプのうちの一方の該ランプ長さと、
該一方のランプの該露出差込み部長さと、
該一方のランプに対応するランプ受けの該ランプ受け長さと、
該ランプのうちの他方の差込み部の該露出差込み部長さと、
該他方のランプに対応するランプ受けの該ランプ受け長さとの合計よりも
十分に大きく、
それぞれ該反射器の異なる該端部に隣接して設置された該ランプ受けに対応す
る、隣接するランプについて、いずれのランプの遠位部も、隣接するランプに対
応するランプ受けおよび露出差込み部を縦方向に妨害せず、
該ランプ全体として、該設備光心線に実質的に一致するランプ光心線を形成す
る、照明設備。
（１３）  前記ランプ受けのうちの厳密に１つが、前記反射器のそれ
ぞれの前記端部に隣接して設けられた、項目１２に記載の照明設備。
（１４）  前記ランプのそれぞれが、管直径を有する少なくとも１つ
の発光管を含有し、
隣接する該ランプの該少なくとも１つの発光管が、該管直径の約２０％〜４０
％互いに離れている、項目１２に記載の照明設備。
（１５）  前記ランプのそれぞれが二管ランプである、項目１４に
記載の照明設備。
（１６）  前記二管ランプのそれぞれの管が、長軸と、該長軸を通る
管中心とを有し、
該ランプのそれぞれの二管の該長軸が、それぞれのランプ面を決定し、
該ランプ面が、互いに実質的に並行である、項目１５に記載の照明設備。
（１７）  前記ランプが２つで前記発光管が４つとなるように、前記
反射器の前記端部のそれぞれに隣接して、厳密に１つのランプ受けが設置され、
該４つの発光管の管中央が、断面視で実質的に矩形を形成する、項目１６に
記載の照明設備。
（１８）  前記矩形が実質的に正方形である、項目１７に記載の照
明設備。
（１９）  ランプ光出力密度を向上させる照明設備であって、
光透過性の前面を有する空洞部を形成する、設備光心線を有する反射器と、実
質的に並行な２つの側板と、
該側板のそれぞれに設置された、１つの標準的な４ピンコンパクト蛍光ランプ
受けと、
該ランプ受けのそれぞれに装着された二管ランプと、を含有し、
該ランプが２つで該管が４つ存在し、
該二管ランプのそれぞれの管が、管中心を有し、
該ランプの該二管の長軸がそれぞれのランプ面を決定し、
該空洞部の長さが、一方のランプと、それに対応するランプ受けとの長さの合
計より、約１．５インチ長く、
該ランプは、該ランプ受けに装着されると、約１／８〜１／４インチ互いに離
れており、
一方のランプの該ランプ面は、他方のランプの該ランプ面と実質的に並行であ
り、
該ランプの４つの管中心が、該長軸にそって見た時に、実質的に正方形を形成
し、
該ランプの４つの管が、全体として、該設備光心線に実質的に一致するランプ
光心線を有する、照明設備。
本発明によると、ランプ光出力密度を向上させるための照明設備が提供される
。該設備は、該設備の対向する端板に隣接するランプ受けが配置された、２つの
細長いランプを有する。該設備は、それぞれのランプとランプ受けとを組み合わ
せた長さよりも長い内寸を持ち、一方の発光管の遠位端（つまり、ランプの、ラ
ンプ受けに差し込まれていない方の端）は、隣接するランプのランプ受けとは合
致していない。このため、ランプは、所望のようにできるだけ近接して設置され
、その結果、従来よりも高いランプ光出力密度が得られる。
【００１２】
特に好ましい実施態様は、２つの端部を有する反射器と、その端部の間に伸び
る設備光心線と、該設備光心線に沿った設備長さとを有する。少なくとも一つの
ランプ受けが、該反射器の各端部に実質的に隣接して配置され、該設備光心線に
沿ってもう一方のランプ受けの方に向かう各ランプ受けの突出部が、他方のラン
プ受けに部分的に重なるような位置に各ランプ受けが配置されている。各ランプ
受けはランプ受け長さを有する。該設備は、さらに、少なくとも２つの細長いラ
ンプを含有し、各ランプは一つのランプ受けに対応する差込み部を有し、該差込
み部は差込み部長さと、差込み部に対向する遠位部と、該差込み部から該遠位部
まで伸びるランプ長軸と、該差込み部から該遠位部まで伸びるランプ長軸に沿っ
たランプ長さとを有する。各ランプは、その長軸が上記光心線に実質的に並行で
、かつ互いにずれるように１つのランプ受けに装着される。該差込み部の一部は
、ランプがランプ受けに装着された時には露出されている。該露出部分は露出差
込み部長さを有する。該設備長さは、以下の合計よりも十分に大きい：（１）一
方のランプのランプ長さ、（２）該一方のランプの露出差込み部長さ、（３）該
一方のランプに対応するランプ受け長さ、（４）他方のランプの差込み部の露出
差込み部長さ、および（５）該他方のランプに対応するランプ受けのランプ受け
長さ。そして、反射器の異なる端部に設置された隣接するランプ受けに対応する
隣接するランプについては、いずれのランプの遠位部も、それと隣接するランプ
に対応するランプ受けおよび露出差込み部を縦方向に妨害せず、そして、全ラン
プによって、設備光心線と実質的に一致するランプ光心線を形成する。
【００１３】
（作用）
本発明は、従来より高いランプ光出力密度が得られる、つまり、より小型でコ
ンパクトなランプ列によって従来より多くの光束（ルーメンで計測）が得られる
照明設備の配列を提供する。これは、隣接するランプのランプ受けを、照明設備
の対向する側板に設置し、両端部にランプ受けを設置することが可能なほどに照
明設備の内寸を増加させることによってなされる。このようにすると、各ランプ
のランプ受けが、隣接するランプのいかなる部分を妨害することもなく、ランプ
受けがランプを互いに近接して装着する場合の制約要因とはならなくなる。その
ため、ランプを、互いに密接して設置し、照明設備の反射器の光心線または焦点
に実質的に一致する有効光心線を有するヘアライン光源に類似するよう、ランプ
を十分に近接して装着することができる。
【実施例】
【００１４】
本発明による、２つのコンパクト蛍光ランプを有する、照明設備の第一の実施
態様を図１〜４Ｂに示す。照明設備１０は、反射器１１と側板２０および２１を
有する。図４Ａに標準的な４ピンコンパクト蛍光ランプ受けとして示されている
、一方のランプ受け３０は、側板２０に設けられている。図４Ｂに同じく標準的
な４ピンコンパクト蛍光ランプ受けとして示されている、もう一方のランプ受け
３１は、側板２１に設けられている。ランプ４０はランプ受け３０に、ランプ４
１はランプ受け３１に差し込まれている。ランプ４０および４１は、図１、２、
３Ａおよび３Ｂでは、二管コンパクト蛍光ランプとして示されている。
【００１５】
側板２０および２１は、たとえば図２および図６に示すように、完全な板の形
状であることが好ましいが、必ずしもそうでなくともよい。また好ましくは、側
板２０および２１は、内部の見える（骨格のみの）板や腕木、またはランプ受け
３０および３１を支持するのに適切な、従って連続した列の照明器具を形成する
のに適切ないかなる構成であってもよい。
【００１６】
照明設備１０の光制御は、ヘアライン光源に類似となるように、ランプ４０お
よび４１の発光管５０および５１を互いに隣接して配置することによって向上さ
れる。図２、３Ａおよび３Ｂに示すように、ランプ受け３０および３１の幅はラ
ンプ４０および４１の幅よりも大きい。従って、仮にランプ受け３０および３１
を両方とも一方の側板２０または２１に設置すると、ランプ４０および４１の発
光管５０および５１の直径の約１００％〜１２０％の大きさの、実質的な隙間が
、発光管５０と５１との間に生じざるを得ないことになる。このような配置では
最大の光制御を得ることはできない。
【００１７】
しかし、図１〜図４Ｂに示す実施態様では、ランプ受け３０は側板２０に、ラ
ンプ受け３１は側板２１に設置されている。これらのランプ受けは、ランプ受け
３０の、側板２１に向かう突出部の一部が、ランプ受け３１の一部に重なるよう
に配置されている。ランプ受け３０および３１をこのように設置することによっ
て、これらランプ受けを同一の側板に設置した場合には避けられない、ランプ４
０と４１との間の隙間を、所望通り、部分的にあるいは完全に排除することがで
きる。
【００１８】
図１および図２に示した照明設備１０の、長軸（側板２０から側板２１までの
軸）方向の内寸６０は、ランプ受け３０または３１とランプ４０または４１とを
組み合わせた長さよりも大きく、標準的な照明器具では、この長さ（にランプの
取り付け／取り外しのための余裕を加えたもの）があれば実質的に十分である。
照明設備１０の内寸６０を増加すると、ランプ４０の遠位端４２（発光管の２本
の直線部分をつなぐ「Ｕ字」部分）が、ランプ受け３１およびランプ４１の差込
み部を縦方向に妨害することがなくなる。同様に、ランプ４１の遠位端４３も、
ランプ受け３０およびランプ４０の差込み部を縦方向に妨害しない。この特徴に
よって、ランプ４０および４１の発光管５０および５１を、所望通りに互いに近
接して配置することが可能となる。
【００１９】
図１〜図４Ｂに示した実施態様では、標準的な４ピン差込みコンパクト蛍光ラ
ンプ受けおよび標準的な４ピン差込みランプを用いており、照明設備１０の内寸
６０は、一方のランプとランプ受けとを組み合わせた長さより約１．５インチ長
くなっている。しかし、用いるランプ受けおよびランプに応じて、この寸法は実
際に増加させる必要性がある。断面の大きなランプ受けを用いる場合には、この
寸法を大きく増加させる必要がある。いずれにせよ、この照明設備の内寸は、各
ランプの遠位端が、もう一方のランプの差込み部分およびランプ受けの妨害をし
ないように、そして、所望の場合には２つの隣接するランプの発光管を互いに接
触して配置し、かつランプの取り付け／取り外しのための余裕が持てるよう、十
分な大きさとしなければならない。
【００２０】
第一の実施態様では、ランプの２本の筒状部分の長軸によって決定される、ラ
ンプ面が、もう一方のランプ面と並行になっている。４本の管の中心点が、断面
視で、正方形または正方形に近い長方形を形成する。
【００２１】
図１に示すように、第一の実施態様では、ランプ受け３０に装着されたランプ
４０の長軸が、ランプ受け３１に装着されたランプ４１の長軸より、わずかに上
にくるように、ランプ受け３０および３１が側板２０および２１に配置されてい
る。
【００２２】
図１〜図４Ｂの実施態様では、ランプ４０と４１との間にはわずかな隙間が設
けられている。この隙間はいくつかの目的のために使われる。第一に、隣接する
ランプ４０と４１との間に隙間があることによって、発光される光が直接光であ
れ反射光であれ、互いに比較的妨げあわないように発光される。光が照明器具か
ら出ていく前に隣接するランプの発光管内部を通らなければならない場合に比べ
て、個々のランプの発する光のより多くの部分が、この隙間を通って照明器具か
ら外部への直接の伝達路をとることができる。第二に、この隙間によって、冷却
のための空気の循環が促進される。隣接するランプの発光管が接触している場合
には、空気循環のための経路の一部が排除されることになる。最後に、例えば、
反射器を留めているネジを外す時など、この隙間を用いる以外にドライバーその
他の工具を近づけることができない場合に、この隙間は工具を近づけるために用
いられる。ランプ４０と４１との間の提案される隙間は、ランプ４０および４１
の発光管５０および５１の直径の約２０％〜４０％とすることである。
【００２３】
図５および図６に示す第二の実施態様では、ランプ受け３１と側板２１との間
にヒンジ３３を設けることが好ましい。ヒンジ３３は、好ましくは、照明設備１
０、つまり対向する反射器１１から外側に向いた、ランプ受け３１の側面に配置
される。ランプ４０をランプ受け３０から取り外そうとする時、ランプ４１をラ
ンプ受け３１から取り外そうとする時、または、新しいランプをランプ受け３０
または３１に取り付けようとする時には、図６に示すように、ランプ受け３１を
ヒンジ軸３４を中心に回転させることができる。この位置に置くと、ランプ受け
３１についてのランプの取り外しや取り付けに十分な空間が確保できる。
【００２４】
ランプ受け３０にもヒンジを設けてもよい。しかし、ランプ受け３１を側板２
１を軸にして回転させると、ランプ受け３０についてのランプの取り付け／取り
外しにも十分な空間が確保できる。従って、ランプ受け３０にはヒンジを設けな
くてもよい。
【００２５】
本発明による、２つのコンパクト蛍光ランプを有する照明設備の第三の実施態
様を図７〜図１０Ｂに示す。照明設備７０は、反射器７１と側板８０および８１
を有する。反射器７１は、好ましくは、上述の楕円・放物線反射器であり、焦点
または光心線８２を有する。図１０Ａに標準的な４ピンコンパクト蛍光ランプ受
けとして示された一方のランプ受け３０は、側板８０に設置されている。図１０
Ｂに同様に標準的な４ピンコンパクト蛍光ランプ受けとして示されたもう一方の
ランプ受け３１は、側板８１に設置されている。ランプ４０はランプ受け３０に
、ランプ４１はランプ受け３１に差し込まれている。上記と同様に、ランプ４０
および４１は、図７、８、９Ａおよび９Ｂでは二管コンパクト蛍光ランプとして
示されている。
【００２６】
側板８０および８１は、たとえば図８に示すように完全な板の形状であること
が好ましいが、上記実施態様と同様に、これは必ずしもそうでなくともよい。ま
た好ましくは、側板８０および８１は、内部の見える（骨格のみの）板や腕木、
または光を遮ることなくランプ受け３０および３１を支持するのに適切な、従っ
て連続した列の照明器具を形成するのに適切ないかなる構成であってもよい。
【００２７】
図８、９Ａおよび９Ｂに示すように、ランプ受け３０および３１の幅は、ラン
プ４０および４１の幅より広くなっている。従って、上述のように、仮にランプ
受け３０と３１とが両方とも一方の側板８０または８１に設置されていたとした
ら、ランプ４０および４１の発光管５０および５１の直径の約１００％〜１２０
％の大きさの実質的な隙間が、発光管５０と５１との間に生じてしまうことは避
けられない。この配置でもまた、最大の光制御を得ることはできない。
【００２８】
しかし、図７〜図１０Ｂに示した実施態様では、照明設備７０の光制御は、ラ
ンプ４０と４１との発光管５０と５１とを互いに近接して、光心線９２を有する
ヘアライン光源に類似のものとなるように配置することによって増大される。こ
の光心線９２は、発光管５０と５１との中心を通る線９３と９４との交点によっ
て示される。ランプ受け３０は側板８０に、ランプ受け３１は側板８１に設置さ
れている。これらのランプ受けは、ランプ受け３０の、側板８１に向いた突出部
の一部が、ランプ受け３１の一部と重なるような位置に置かれている。上述した
ように、ランプ受け３０および３１をこのように配置することによって、ランプ
受け３０と３１とを同一の側板に設けた場合には避けられない、ランプ４０と４
１との間の隙間を、所望のように、部分的にまたは完全に排除することができる
。上に述べたように、ランプ４０と４１とを密接して配置することによって得ら
れる有効ヘアライン光源の光心線９２は、反射器７１の焦点または光心線８２と
実質的に一致し、これによって、反射器７１による光出力の最大制御が可能とな
る。  上記の実施態様でも述べたように、図７および８に示す照明設備７１の、
長軸（側板８０から側板８１に伸びる軸）方向の内寸８３は、ランプ受け３０ま
たは３１とランプ４０または４１とを組み合わせた長さよりも実質的に長く、標
準的な照明器具においては、この寸法（にランプの取り付け／取り外しのための
余裕を加えたもの）があれば実質的に十分である。照明設備７０の内寸８３を増
加することによって、ランプ４０の遠位端４２が、ランプ受け３１とランプ４１
の差込み部とを縦方向に妨害しないことになる。同様に、ランプ４１の遠位端４
３は、ランプ受け３０とランプ４０の差込み部を縦方向に妨害しない。上記のよ
うに、この特徴によって、ランプ４０と４１との発光管５０と５１とを、所望す
るだけ近接して配置することが可能となる。
【００２９】
標準的な４ピン差込みコンパクト蛍光ランプ受けと標準的な４ピン差込みラン
プとを用いた、図７〜図１０Ｂに示した実施態様においては、照明設備７０の内
寸８３は、上記の第一実施態様と同様に、どちらかのランプとランプ受けとを組
み合わせた長さよりも１．５インチ長くなっている。しかし、用いるランプ受け
およびランプに応じて、この寸法を実際に増加させることが必要となる。より大
きな断面を持つランプ受けを用いる場合には、この寸法をさらに増加させること
が必要となる。いずれにせよ、照明設備の内寸は、各ランプの遠位端が、もう一
方のランプの差込み部分およびランプ受けを妨害しないように、そして、所望の
場合には２つの隣接するランプの発光管を互いに接触して配置し、かつランプの
取り付け／取り外しのための余裕が持てるように、十分な大きさとしなければな
らない。
【００３０】
この実施態様においても、上記と同様に、ランプの２本の筒状部分の長軸によ
って決定される、一方のランプ面が、他方のランプ面に対して並行となっている
。４本の管の中心が、断面視で、正方形または正方形に近い長方形を形成する。
【００３１】
図７に示すように、この実施態様においても、ランプ受け３０に装着された時
のランプ４０の長軸が、ランプ受け３１に装着された時のランプ４１の長軸より
わずかに上に位置するように、ランプ受け３０と３１とが側板８０と８１とに配
置されている。
【００３２】
図７〜図１０Ｂに示す実施態様においても、ランプ４０と４１との間にはわず
かな隙間が設けられている。この隙間は上述のようにいくつかの目的に用いられ
る。上に述べたように、ランプ４０と４１との間の隙間は、ランプ４０および４
１の発光管５０および５１の直径の約２０％〜４０％の大きさにすることを提案
する。
【００３３】
本発明による照明設備においては、各ランプに対応するランプ受けが、すぐ隣
のランプのランプ受けとは異なる方の側板（または腕木）に設けられていれば、
いくつのランプ受けでも用いることができることは明白である。
【００３４】
このように、ランプ光出力密度が高く、光制御が良好に行える照明設備が提供
される。本発明が、上記実施態様以外によっても実施可能であることは当業者に
は自明であろうが、上記実施態様は説明のためのものであり、本発明を限定する
ものではなく、本発明は請求の範囲によってのみ限定されるものである。
【００３５】
（発明の効果）
このように、本発明によると、ランプ受けの大きさによって従来から可能であ
ったよりも接近させて複数のランプを装着できるように、細長いランプを照明設
備に複数並べる配列方法が提供される。また、ヘアライン光源、特に反射器の焦
点または光心に中心点を置くヘアライン光源からの光に類似させるような、複数
のランプの配置が可能となるように、細長いランプを照明設備に複数並べる配列
方法も提供される。
【図面の簡単な説明】
【００３６】
【図１】本発明による、２つのランプを有する照明設備の第一の実施態様の前面図である。
【図２】図１の照明設備の斜視図である。
【図３】図３Ａは、図１の照明設備の、図１の３Ａ−３Ａ線による断面図であり、図３Ｂは、図１の３Ｂ−３Ｂ線による断面図である。
【図４】図４Ａは、ランプを外した図１の照明設備の図３Ａと同様の断面図であり、図４Ｂは、ランプを外した図１の照明設備の図３Ｂと同様の断面図である。
【図５】本発明による、２つのランプを有する照明設備の第二の実施態様の前面図である。
【図６】図５の照明設備の斜視図である。
【図７】本発明による、２つのランプを有する照明設備の第三の実施態様の前面図である。
【図８】図７の照明設備の斜視図である。
【図９】図９Ａは、図７の照明設備の、図７の９Ａ−９Ａ線による断面図であり、図９Ｂは、図７の９Ｂ−９Ｂ線による断面図である。
【図１０】図１０Ａは、ランプを外した図７の照明設備の図９Ａと同様の断面図であり、図１０Ｂは、ランプを外した図７の照明設備の図９Ｂと同様の断面図である。
【符号の説明】
【００３７】
１０、７０  照明設備
１１、７１  反射器
３０、３１  ランプ受け
３３  ヒンジ
２０、２１、８０、８１  側板
４０、４１  ランプ
５０、５１  発光管
【図１】
2006332071.tif 000003
【図２】
2006332071.tif 000004
【図３】
2006332071.tif 000005
【図４】
2006332071.tif 000006
【図５】
2006332071.tif 000007
【図６】
2006332071.tif 000008
【図７】
2006332071.tif 000009
【図８】
2006332071.tif 000010
【図９】
2006332071.tif 000011
【図１０】
2006332071.tif 000012